(57)【特許請求の範囲】
【請求項１】
紙類を主に含む紙類系廃棄物を希釈水に離解させて、離解液を生成する工程と、紙類系廃棄物の離解液を脱水して、脱水パルプおよび排出用水を得る工程と、厨芥類を主に含む厨芥類系廃棄物を希釈水に懸濁させて、懸濁液を生成する工程と、厨芥類系廃棄物の懸濁液に酵母を加えるとともに、上記脱水パルプを加えて、高濃度化されたバイオマス原料により糖化発酵を行う工程とからなり、厨芥類と紙類の使用比率が、乾燥重量比で紙類が少なくとも３０％以上もしくは厨芥類が７０％以下であることを特徴とする、廃棄物由来バイオマス原料の糖化発酵方法。
【請求項２】
紙類系廃棄物の離解液の生成工程および厨芥類系廃棄物の懸濁液の生成工程において、異物除去処理を行うことを特徴とする、請求項１に記載の廃棄物由来バイオマス原料の糖化発酵方法。
【請求項３】
紙類系廃棄物の離解液の脱水工程から排出された排出用水を、紙類系廃棄物の離解液の生成工程および／または厨芥類系廃棄物の懸濁液の生成工程の希釈水として再利用することを特徴とする、請求項１または２に記載の廃棄物由来バイオマス原料の糖化発酵方法。
【請求項４】
紙類系廃棄物の離解液の脱水工程から排出された排出用水を、廃棄物由来バイオマス原料による糖化発酵工程の濃度調整処理に利用することを特徴とする、請求項１〜３のうちのいずれか一項に記載の廃棄物由来バイオマス原料の糖化発酵方法。
【請求項５】
紙類系廃棄物の離解液の生成工程、脱水パルプおよび排出用水を得る工程および／または厨芥類系廃棄物の懸濁液の生成工程の処理温度が、６０℃〜９５℃であることを特徴とする、請求項１〜４のうちのいずれか一項に記載の廃棄物由来バイオマス原料の糖化発酵方法。
【請求項６】
紙類系廃棄物の離解液の生成工程、厨芥類系廃棄物の懸濁液の生成工程、および廃棄物由来バイオマス原料による糖化発酵工程において、処理液のｐＨを調整することを特徴とする、請求項１〜５のうちのいずれか一項に記載の廃棄物由来バイオマス原料の糖化発酵方法。
【発明の詳細な説明】
【技術分野】
【０００１】
本発明は、廃棄物を、例えば糖化発酵によるバイオエタノールの製造に利用するための廃棄物由来バイオマス原料の糖化発酵方法、詳しくは、紙類を主に含む紙類系廃棄物と、厨芥類を主に含む厨芥類系廃棄物とに分け、紙類を主な成分とする原料は離解および脱水によるパルプに調整し、厨芥類を主な成分とする原料は水で懸濁後、前述のパルプを加えることで、最終的に廃棄物由来バイオマス原料の高濃度化を達成することができる工業的に非常に有効な廃棄物由来バイオマス原料の糖化発酵方法に関するものである。
【背景技術】
【０００２】
近年、炭酸ガスの排出抑制に寄与するバイオマスの利活用は、カーボンニュートラルの観点から注目されており、直接燃焼、ガス化、メタン発酵、エタノール発酵などにより、電力や化石燃料代替としての利用および開発が行われている。現在、国内で注目されているバイオマス原料は、廃木材、剪定枝、下水汚泥、食品廃棄物、農産廃棄物などが挙げられる。その一方で、焼却施設に持ち込まれる一般廃棄物の中には、紙類や厨芥類等のバイオマス資源が６０％以上存在しているが、ほとんど利用されていないのが現状である。これら一般廃棄物は比重選別により、紙類およびプラスチック類を多く含む軽量ごみと、厨芥類を多く含む重量ごみとに分類できることは知られており、その重量ごみをメタン発酵基質に利用する開発が行われている。
【０００３】
一方、紙類は焼却されるのみであり、これを回収してエタノール発酵基質とする発明が、下記の特許文献１にすでに記載されている（ 「ごみ焼却施設におけるセルロース系エタノールの製造方法」）。
【０００４】
ところで、平成１８〜２０年度の環境省発表の全国廃棄物排出量は、３７００〜３９００万ｔであるが、そのうち、厨芥類や紙布革類の比率は、６３〜６６％を占め、２４００万ｔ程度が毎年焼却処分されている（環境省ホームページ内資料より算出）。これらは水分を含んだ量であるが、一般的に紙類の含水率は３０％、厨芥類は７０〜８０％であることを考慮に入れても、非常に多くのバイオマス資源であるといえる。
【０００５】
一方、エタノールは蒸留により濃縮されるため、蒸留開始時の濃度が高くなければ、エネルギー回収率は高くならない。高濃度のエタノール反応液、または別のバイオリファイナリー原料の高濃度生産のためには、高濃度の発酵基質が必要である。
【０００６】
例えば、厨芥類を発酵基質とする場合、原料に含まれるデンプン質が多く、かつ含水率も低く、さらに発酵不適物が少ない場合には、液化および糖化を行っただけで発酵基質として用いられるが、それ以外の場合は、例えば下記の特許文献２では、生ごみから得られた糖液を濃縮する方法について言及されており、また下記の特許文献３においては、デンプン質を含む原料から３０〜６０％のペレットを形成し、固体発酵による同時糖化発酵を行う方法が記載されている。
【０００７】
さらに紙類については、例えば下記の特許文献４において、紙類とそれ以外のごみが混ざっている廃棄物から、紙類のセルロース成分を分離回収する方法が記載されており、紙を離解することで異物を除去し、繊維化された紙類のセルロース分を回収している。
【先行技術文献】
【特許文献】
【０００８】
【特許文献１】特開２００９−９６８１８号公報
【特許文献２】特開２００６−３２５５７７号公報
【特許文献３】特開２００５−６５６９５号公報
【特許文献４】特開２００２−１５９９５３号公報
【発明の概要】
【発明が解決しようとする課題】
【０００９】
しかしながら、廃棄物中に多く含まれるバイオマス資源をできるだけ多く回収するためには、紙類と厨芥類を多く回収し、かつ発酵不適物や難発酵物質をできるだけ多く取り除き、さらに原料濃度を高くする必要があるが、上記従来の特許文献に記載の技術では、充分な処理を行うことができないという問題があった。特に、厨芥類は粘度が高く、機械的な脱水に適さない場合が多く、コンポストで用いられるような熱による乾燥は時間がかかり、かつ熱源として電力等が必要とされるという問題があった。
【００１０】
本発明の目的は、上記の従来技術の問題を解決し、最終的に高濃度のバイオマス原料を糖化発酵することができるため、結果的に目的生産物の濃度が高くなるとともに、処理設備が小規模になって、設備コストが低減することができ、一般廃棄物由来のバイオマス資源の利用適応範囲が広がることで、炭酸ガス排出量が低減し、排出権取引に利用できる、廃棄物由来バイオマス原料の糖化発酵方法を提供することにある。
【課題を解決するための手段】
【００１１】
本発明者らは、上記の点に鑑み鋭意研究を重ねた結果、廃棄物由来の紙類および厨芥類を共に処理し、エタノール発酵原料とすることにより、さらに収量が向上し、炭酸ガスの排出削減にも寄与できることを見出し、本発明を完成するに至ったものである。
【００１２】
上記の目的を達成するために、請求項１の廃棄物由来バイオマス原料の糖化発酵方法の発明は、紙類を主に含む紙類系廃棄物を希釈水に離解させて、離解液を生成する工程と、紙類系廃棄物の離解液を脱水して、脱水パルプおよび排出用水を得る工程と、厨芥類を主に含む厨芥類系廃棄物を希釈水に懸濁させて、懸濁液を生成する工程と、厨芥類系廃棄物の懸濁液に酵母を加えるとともに、上記脱水パルプを加えて、高濃度化されたバイオマス原料により糖化発酵を行う工程とからなり、厨芥類と紙類の使用比率が、乾燥重量比で紙類が少なくとも３０％以上もしくは厨芥類が７０％以下であることを特徴としている。
【００１３】
請求項２の発明は、請求項１に記載の廃棄物由来バイオマス原料の糖化発酵方法であって、紙類系廃棄物の離解液の生成工程および厨芥類系廃棄物の懸濁液の生成工程において、異物除去処理を行うことを特徴としている。
【００１４】
請求項３の発明は、請求項１または２に記載の廃棄物由来バイオマス原料の糖化発酵方法であって、紙類系廃棄物の離解液の脱水工程から排出された排出用水を、紙類系廃棄物の離解液の生成工程および／または厨芥類系廃棄物の懸濁液の生成工程の希釈水として再利用することを特徴としている。
【００１５】
請求項４の発明は、請求項１〜３のうちのいずれか一項に記載の廃棄物由来バイオマス原料の糖化発酵方法であって、紙類系廃棄物の離解液の脱水工程から排出された排出用水を、廃棄物由来バイオマス原料による糖化発酵工程の濃度調整処理に利用することを特徴としている。
【００１６】
請求項５の発明は、請求項１〜４のうちのいずれか一項に記載の廃棄物由来バイオマス原料の糖化発酵方法であって、紙類系廃棄物の離解液の生成工程、脱水パルプおよび排出用水を得る工程および／または厨芥類系廃棄物の懸濁液の生成工程の処理温度が、６０℃〜９５℃であることを特徴としている。
【００１７】
請求項６の発明は、請求項１〜５のうちのいずれか一項に記載の廃棄物由来バイオマス原料の糖化発酵方法であって、紙類系廃棄物の離解液の生成工程、厨芥類系廃棄物の懸濁液の生成工程、および廃棄物由来バイオマス原料による糖化発酵工程において、処理液のｐＨを調整することを特徴としている。
【発明の効果】
【００１８】
請求項１の廃棄物由来バイオマス原料の糖化発酵方法の発明は、紙類を主に含む紙類系廃棄物を希釈水に離解させて、離解液を生成する工程と、紙類系廃棄物の離解液を脱水して、脱水パルプおよび排出用水を得る工程と、厨芥類を主に含む厨芥類系廃棄物を希釈水に懸濁させて、懸濁液を生成する工程と、厨芥類系廃棄物の懸濁液に酵母を加えるとともに、上記脱水パルプを加えて、高濃度化されたバイオマス原料により糖化発酵を行う工程とからなり、厨芥類と紙類の使用比率が、乾燥重量比で紙類が少なくとも３０％以上もしくは厨芥類が７０％以下であるもので、請求項１の発明によれば、最終的に高濃度のバイオマス原料を糖化発酵することができるため、結果的に目的生産物の濃度が高くなるとともに、処理設備が小規模になって、設備コストが低減することができ、一般廃棄物由来のバイオマス資源の利用適応範囲が広がることで、炭酸ガス排出量が低減し、排出権取引に利用できるという効果を奏する。
【００１９】
請求項２の発明は、請求項１に記載の廃棄物由来バイオマス原料の糖化発酵方法であって、紙類系廃棄物の離解液の生成工程および厨芥類系廃棄物の懸濁液の生成工程において、異物除去処理を行うことを特徴とするもので、請求項２の発明によれば、紙類および厨芥類をともに一度水で希釈することにより、バイオマス原料に適さない異物を除去することができるという効果を奏する。
【００２０】
請求項３の発明は、請求項１または２に記載の廃棄物由来バイオマス原料の糖化発酵方法であって、紙類系廃棄物の離解液の脱水工程から排出された排出用水を、紙類系廃棄物の離解液の生成工程および／または厨芥類系廃棄物の懸濁液の生成工程の希釈水として再利用するもので、請求項３の発明によれば、紙類系廃棄物の離解液の脱水工程から排出された排出用水を循環利用することで、排水処理を大幅に低減することができるという効果を奏する。
【００２１】
請求項４の発明は、請求項１〜３のうちのいずれか一項に記載の廃棄物由来バイオマス原料の糖化発酵方法であって、紙類系廃棄物の離解液の脱水工程から排出された排出用水を、廃棄物由来バイオマス原料による糖化発酵工程の濃度調整処理に利用するもので、請求項４の発明によれば、紙類系廃棄物の離解液の脱水工程から排出された排出用水を循環利用することで、排水処理を大幅に低減することができるという効果を奏する。
【００２２】
請求項５の発明は、請求項１〜４のうちのいずれか一項に記載の廃棄物由来バイオマス原料の糖化発酵方法であって、紙類系廃棄物の離解液の生成工程、脱水パルプおよび排出用水を得る工程および／または厨芥類系廃棄物の懸濁液の生成工程の処理温度が、６０℃〜９５℃であることを特徴とするもので、請求項５の発明によれば、紙類系廃棄物および厨芥類系廃棄物の原料は、廃棄物由来であるため、多くの雑菌が含まれており、一連の反応もしくはその一部を６０℃〜９５℃の温度で処理することにより、雑菌由来の不必要な原料の腐敗および排出用水の腐敗を防ぐことができるという効果を奏する。
【００２３】
請求項６の発明は、請求項１〜５のうちのいずれか一項に記載の廃棄物由来バイオマス原料の糖化発酵方法であって、紙類系廃棄物の離解液の生成工程、厨芥類系廃棄物の懸濁液の生成工程、および廃棄物由来バイオマス原料による糖化発酵工程において、処理液のｐＨを調整することを特徴とするもので、請求項６の発明によれば、例えばエタノール発酵に適した廃棄物由来バイオマス原料を調製することができるという効果を奏する。
【図面の簡単な説明】
【００２４】
【図１】本発明の廃棄物由来バイオマス原料の糖化発酵方法の実施の形態を示すブロック図である。
【発明を実施するための形態】
【００２５】
つぎに、本発明の実施の形態を、図面を参照して説明するが、本発明はこれらに限定されるものではない。
【００２６】
図１は、本発明による廃棄物由来バイオマス原料の糖化発酵方法の実施の形態を示すブロック図である。
【００２７】
同図を参照すると、本発明による廃棄物由来バイオマス原料の糖化発酵方法は、紙類を主に含む紙類系廃棄物を希釈水に離解させて、離解液を生成する工程と、紙類系廃棄物の離解液を脱水して、脱水パルプおよび排出用水を得る工程と、厨芥類を主に含む厨芥類系廃棄物を希釈水に懸濁させて、懸濁液を生成する工程と、厨芥類系廃棄物の懸濁液に酵母を加えるとともに、上記脱水パルプを加えて、高濃度化されたバイオマス原料により糖化発酵を行う工程とからなり、厨芥類と紙類の使用比率が、乾燥重量比で紙類が少なくとも３０％以上もしくは厨芥類が７０％以下であることを特徴とするものである。
【００２８】
ここで、廃棄物は、比重選別などの機械的な分離手法により、紙類を多く含む廃棄物と厨芥類を多く含む廃棄物に分類できる。紙類は表面加工処理されていたり、プラスチックや金属などと複合化して存在しているため、水で紙類を離解させ、この離解処理中に、バイオマス原料として不適なものを粒径等で分離除去する工程を入れることができる。
【００２９】
一方、厨芥類は、野菜くずなど原形を留めているため、水で懸濁することで均一化及び微細化する。この懸濁処理中に、バイオマス原料として不適なものを粒径等で分離除去する工程を入れることができる。
【００３０】
一般廃棄物由来バイオマス原料を発酵基質として用いる際に、厨芥類と紙類に分けた後、希釈水を用いて異物除去や微細化等の処理を行ない、かつ最終的な原料処理濃度を高くする必要がある。
【００３１】
厨芥類は野菜くずなど原形を留めているため、水で懸濁することで均一化及び微細化する。紙類は表面加工処理されていたり、プラスチックや金属などと複合化して存在しているため、水で紙類を離解させ脱水することにより、パルプとして回収する。
【００３２】
水に懸濁させた厨芥類はその懸濁成分であるセルロース、デンプン、タンパク質といった含水性の高い成分を酵素により分解し液化する。
【００３３】
脱水により濃縮されたパルプを、厨芥類の液化処理工程の前後において投入し、パルプを酵素により分解し液化する。
【００３４】
さらに脱水パルプの投入前後において、厨芥類や紙類由来の原料を基質とする微生物を加え、目的成分の生産を行うものである。
【００３５】
処理工程中の液化に伴い、脱水パルプを投入し、最終的に反応槽容量あたりの高濃度原料を処理する。投入する脱水パルプは、一括投入すると粘度が高くなり、機械的な攪拌に支障をきたすことが想定されるため、複数回に分けて行うことが望ましい。また、脱水パルプを分けて加えるのに要する時間は、３時間から７２時間であるのが好ましい。
【００３６】
紙類系廃棄物の離解液の生成工程および厨芥類系廃棄物の懸濁液の生成工程において、スクリーンによる異物除去処理を行うことが好ましい。
【００３７】
紙類系廃棄物の離解液の脱水工程から排出された排出用水を、紙類系廃棄物の離解液の生成工程および／または厨芥類系廃棄物の懸濁液の生成工程の希釈水として再利用することが好ましい。
【００３８】
紙類系廃棄物の離解液の脱水工程から排出された排出用水を、廃棄物由来バイオマス原料による糖化発酵工程の濃度調整処理に利用することが好ましい。
【００３９】
さらに、機械的な脱水工程で発生した脱水液中には、細分化されたバイオマス原料成分の水溶性成分が含まれているため、この用水を離解水や懸濁水として再利用することで未回収成分の回収を行うことができる。
【００４０】
本発明による廃棄物由来バイオマス原料の糖化発酵方法では、紙類系廃棄物の離解液の生成工程、脱水パルプおよび排出用水を得る工程および／または厨芥類系廃棄物の懸濁液の生成工程の処理温度は、６０℃〜９５℃とするのが好ましい。ここで、紙類系廃棄物および厨芥類系廃棄物の原料は、廃棄物由来であるため、多くの雑菌が含まれており、一連の反応もしくはその一部を６０℃〜９５℃、好ましくは７０℃〜８５℃で実施することにより、雑菌由来の不必要な原料の腐敗および用水の腐敗を防ぎ、雑菌の繁殖を抑えることができる。
【００４１】
また、紙類系廃棄物の離解液の生成工程、厨芥類系廃棄物の懸濁液の生成工程、および廃棄物由来バイオマス原料による糖化発酵工程において、処理液のｐＨを調整することが好ましい。
【００４２】
厨芥類と紙類の使用比率は、原料の性状によっても変化するが、乾燥重量比で紙類が少なくとも３０％以上もしくは厨芥類が７０％以下であることが望ましい。
【００４３】
また、紙類系廃棄物の離解液の生成工程および厨芥類系廃棄物の懸濁液の生成工程、または紙類系廃棄物の離解液および厨芥類系廃棄物の懸濁液の混合工程において、処理液のｐＨを調整することにより、例えばエタノール発酵に適した廃棄物由来バイオマス原料を調製することができる。
【００４４】
本発明の廃棄物由来バイオマス原料の糖化発酵方法によれば、バイオマス資源の高濃度化により、微生物の資化成分の高濃度化が図られ、その後の目的生産物の高濃度化が実現する。
【００４５】
また、本発明の廃棄物由来バイオマス原料の糖化発酵方法によれば、バイオマス資源の高濃度化により、処理設備が小規模になり、設備コストが低減する。
【００４６】
本発明の廃棄物由来バイオマス原料の糖化発酵方法によれば、バイオマス資源の高濃度化により、原料としての利用範囲が広まることで、廃棄物からの資源回収量が増え、炭酸ガス排出量の低減につながり、排出権取引に用いることができる。
【００４７】
本発明の廃棄物由来バイオマス原料の糖化発酵方法によれば、排出用水を循環利用することで、排水の処理が少なくなる、もしくは無くなる。
【００４８】
本発明の廃棄物由来バイオマス原料の糖化発酵方法は、一般廃棄物そのものにも適応できるが、異物除去効率を考慮に入れると、機械選別により紙類が主に含まれる紙類系廃棄物と厨芥類が主に含まれる厨芥類廃棄物に分離して処理することが望ましい。さらに、オフィス発生の事業系廃棄物のような紙類が主な廃棄物と、スーパーや飲食店由来事業系廃棄物のような厨芥類が主な廃棄物の場合、機械選別無しで処理を行うことができる。
【実施例】
【００４９】
つぎに、本発明の実施例を説明するが、本発明は、この実施例に限定されるものではない。
【００５０】
実施例１
家庭から発生した生ごみ（１）、および食堂から発生した２種類の生ごみ（２）（３）を用いて、ミキサーにより懸濁処理を行った。懸濁時に適宜加水し、ミキシングが可能なギリギリの濃度で懸濁処理を行った。さらに、得られた懸濁物３０ｇに、１００ｍＭ酢酸バッファー（ｐＨ４．５）を５ｍｌ加え、酵素（Celic Ctec）２ｍｌを加えることで、厨芥の懸濁物の糖潜在量（グルコース潜在量）、および実際のグルコース濃度を求めた。得られた結果を、下記の表１に示した。
【表１】
0005564310.tif 000002
【００５１】
この表１の結果から明らかなように、厨芥類の懸濁物の最終スラリー濃度は、いずれの場合も１２％に届かず、実際のグルコース濃度は、最大でも３．５％程度であった。従って、これをエタノール発酵の原料とした場合には、最大でもエタノール濃度が２ｖｏｌ％に満たなくなるため、蒸留によるエネルギーが多く必要になり、エネルギー回収率が悪くなってしまう。
【００５２】
つぎに、本発明の方法において、ＯＡ紙を５ｗ％で調製したパルプ離解溶液を脱水して、脱水パルプおよび排出用水を得た。そして、上記家庭から発生した生ごみ（１）、および食堂から発生した２種類の生ごみ（２）（３）の懸濁液に、それぞれ酵母を加えるとともに、上記脱水パルプを酵素による液化に応じて添加して、バイオマス原料の高濃度化を伴った糖化発酵を行った。
【００５３】
この糖化発酵溶液について、得られたエタノール溶液からグルコースの生成量を理論的に求めたところ、いずれの場合も生成グルコース濃度が大幅に上昇した。
【００５４】
従って、厨芥類懸濁液に、脱水パルプを加えることで、高濃度化されたバイオマス原料により糖化発酵を実施でき、高濃度化した目的生産物が得られることが判明した。
【図１】
0005564310.tif 000003